(57)【要約】【課題】害虫や風雨からの劣化、また貝やヒトデ等からの腐食を防ぎ、優れた防虫、耐候、防錆、耐腐食効果を発揮することができる電線および海底ケーブルを提供すること。【解決手段】電流を通すための金属線（２）（１１）と、該金属線を被覆する絶縁体（３）（１５）とで構成されている電線（１）および海底ケーブル（１０）において、前記絶縁体の表面に、金属酸化物ガラス膜（Ａ）を施した。【選択図】      図１
2004172077.tif 000002
【特許請求の範囲】
【請求項１】
電流を通すための金属線と、該金属線を被覆する絶縁体とで構成されている電線および海底ケーブルにおいて、前記絶縁体の表面に、金属酸化物ガラス膜を施したことを特徴とする電線および海底ケーブル。
【発明の詳細な説明】
【０００１】
【発明の属する技術分野】
本発明は、電柱間に連設される電線、および海底に敷設される海底ケーブルにおいて、特に、防虫、耐候、防錆、耐腐食効果を発揮することができる電線および海底ケーブルに関する。
【０００２】
【従来の技術】
電柱間に連設される電線においては、工場や家庭に電気を供給する電力用として、また通信用として幅広く使用されている。一般的な電線は、中心部に銅とその合金、あるいはアルミニウム等の材質からなる電気を通すための金属線と、該金属線の周囲に被覆された樹脂製の絶縁体とで形成されている。
【０００３】
また、海底に敷設される海底ケーブルにおいては、抗張力のある金属線を中心に、その外側に銅テープの内部導体、白色ポリエチレンの絶縁層、銅テープの外部導体が順次同心円状に配置され、外周部分には黒色ポリエチレン等の素材からなる絶縁体が被覆されている。
【０００４】
【発明が解決しようとする課題】
しかし、一般的な電線は、風雨や寒暖の温度差によって絶縁体が劣化すると共に、ネズミや白アリ等の害虫により絶縁体が破損され、漏電等の火災が発生するという問題があった。また寒冷地においては、電線に付着した雪の重さにより電線が切断してしまうという事故が起きた。
【０００５】
また、海底ケーブルにおいては、常時海底に敷設されているため、絶縁体の表面に貝、藻、ヒトデ等が付着し、外観的に見劣りするばかりでなく、ヒトデから発せられる強力な酸により、絶縁体が腐食してしまうという問題も発生した。また、地中に埋設された海底ケーブルにおいても、酸性雨等の侵食物により絶縁体が腐食してしまうこともあった。
【０００６】
そこで本発明は上記の点に鑑み、害虫や風雨からの劣化、また貝やヒトデ等からの腐食を防ぎ、優れた防虫、耐候、防錆、耐腐食効果を発揮することができる電線および海底ケーブルを提供することにある。
【０００７】
【課題を解決するための手段】
上記課題を達成するために、電流を通すための金属線と、該金属線を被覆する絶縁体とで構成されている電線および海底ケーブルにおいて、前記絶縁体の表面に、金属酸化物ガラス膜を施したことを特徴とする。
【０００８】
そのため、金属酸化物ガラス膜の光触媒機能により、電線および海底ケーブルの絶縁体に優れたコーティング特性が得られ、電線においては、風雨や寒暖による絶縁体の劣化を防ぐことができる。また、海底ケーブルにおいては、表面に貝や藻、またヒトデ等が付着することがなく、全体の見栄えを向上させると共に、絶縁体の腐食を軽減することができる。
【０００９】
【発明の実施の形態】
本発明の電線および海底ケーブルの実施の形態を図１乃至図３に基づいて説明する。なお、図１は一部を欠切した電線の斜視図、図２は一部を欠切した海底ケーブルの斜視図、図３は電線の拡大断面図をそれぞれ表す。
【００１０】
図１および図３に示す電線１は、路肩に立設された電柱間に連設されるもので、一般的な電線の構造としては、中心部に銅とその合金、あるいはアルミニウム等の材質からなる単数、または複数の金属線２と、該金属線２を被覆する絶縁体３にて形成されている。なお、前記金属線２には、内部絶縁材４が被覆されている。
【００１１】
また、絶縁体３の表面には金属酸化物ガラス膜Ａが施こされている。金属酸化物ガラス膜Ａは、加水分解可能な有機金属化合物を、水と有機溶剤とからなる反応液中において、ホウ素イオンの存在下でハロゲンイオンを触媒とし、ｐＨを４．５〜５．０に調整しながら加水分解、脱水縮合させた後、反応生成物を基材表面に塗布し、２００℃以下の温度でガラス化させることにより製造される。
【００１２】
金属酸化物ガラス膜Ａは光触媒機能を保有するため、絶縁材３の表面に施すことにより、電線１に優れたコーティング効果を付与させることができる。そのため、風雨や寒暖の温度差によって絶縁材３が劣化することを防ぐことができる。また、金属酸化物ガラス膜Ａの防虫効果により、ネズミや白アリ等の害虫が絶縁材３を噛り破損される虞がなく、漏電等の火災を未然に予防することができる。さらに、光触媒機能により電線の表面に雪が付着しにくくなり、寒冷地においても、付着した雪により電線が切断されるという事故も解消できる。なお、金属酸化物ガラス膜Ａを施す部材としては、前述の電線１に限定されたものではなく、通信用の電話引込線等の表面に設けても同様の効果が得られる。
【００１３】
図２に示す海底ケーブル１０は、抗張力のある複数の金属線１１を中心に、その外側に銅テープの内部導体１２、白色ポリエチレンの絶縁層１３、銅テープの外部導体１４からなり、外周には、黒色ポリエチレンの外部ジャケットからなる絶縁体１５が順次同心円状に配置され形成されている。
【００１４】
また、前記絶縁体１５の表面には、金属酸化物ガラス膜Ａが施こされている。前記絶縁体１５の表面に金属酸化物ガラス膜Ａを施すことにより、金属酸化物ガラス膜Ａの光触媒機能により、絶縁体１５の表面のコーティング効果が得られ、海水による海底ケーブル１０の劣化を防ぐことができる。さらに、金属酸化物ガラス膜Ａの防虫効果により、表面に貝、藻、ヒトデ等が付着することを防止でき、絶縁体１５の腐食を同時に防止することができる。またさらに、地中に埋設された海底ケーブルにおいても、酸性雨等の侵食物により絶縁体が腐食してしまうという問題を解消できる。
【００１５】
【発明の効果】
以上説明してきたように、本発明の電線および海底ケーブルは、上述の構成とすることで以下に示す効果を奏するものである。
【００１６】
電流を通すための金属線と、該金属線を被覆する絶縁体とで構成されている電線および海底ケーブルにおいて、前記絶縁体の表面に、金属酸化物ガラス膜を施したことにより、金属酸化物ガラス膜の光触媒機能により、絶縁体に優れたコーティング特性が得られ、電線においては風雨や寒暖による絶縁体の劣化を防ぐと共に、防虫効果によりネズミや白アリ等の害虫による絶縁体の破損を防止することができる。
【００１７】
また、海底ケーブルにおいては、絶縁体の表面に貝や藻、またヒトデ等が付着することがなく、外観的の劣化を防ぐと共に、絶縁体の腐食を軽減することができる。
【図面の簡単な説明】
【図１】一部を欠切した電線の斜視図を表す。
【図２】一部を欠切した海底ケーブルの斜視図を表す。
【図３】電線の拡大断面図を表す。
【符号の説明】
１・・・電線
２・・・金属線
３・・・絶縁材
４・・・内部絶縁材
１０・・海底ケーブル
１１・・金属線
１２・・内部導体
１３・・絶縁層
１４・・外部導体
１５・・絶縁材
Ａ・・・金属酸化物ガラス膜
【図１】
2004172077.tif 000003
【図２】
2004172077.tif 000004
【図３】
2004172077.tif 000005